(57)【特許請求の範囲】
【請求項１】
患者から採取した型を基に成型した模型を用いて義歯を製作する際に、
前記模型の上に顎堤と接するソフト質の熱可塑性樹脂シートを載せて熱軟化させた状態で、圧風又は真空吸引で型面に被着させてから、
その上に弾性に富んだ熱可塑性樹脂シートを積層して熱軟化させ圧風又は真空吸引で被着させた状態で、余分の部分を除去して基礎床となる部分を残し、この基礎床の上に義歯床を重ね、かつ人工歯を固定してから、前記模型から取り外すことを特徴とする義歯の製作方法。
【請求項２】
患者から採取した型を基に成型した模型を用いて義歯を製作する際に、
前記模型の上に、ソフト質の熱可塑性樹脂シートの上に弾性に富んだ熱可塑性樹脂シートが積層されている２層構造のシートを載せて熱軟化させた状態で、圧風又は真空吸引で型面に被着させてから、余分の部分をカットし除去して基礎床となる部分を残し、この基礎床の上に義歯床を重ね、かつ人工歯を固定してから、模型から取り外すことを特徴とする義歯の製作方法。
【請求項３】
前記の基礎床において、口蓋部側は除去して顎堤寄りだけを残して、基礎床の延長部のみを残すことを特徴とする請求項１または請求項２に記載の義歯の製作方法。
【発明の詳細な説明】
【０００１】
【産業上の利用分野】
本発明は、義歯、特に総義歯の固定構造とその製作方法に関する。
【０００２】
【従来の技術】
一般的に部分義歯の固定構造は、特開昭６１−１８５２６３号公報に記載されているように、金属線（クラスプ線）又は鋳造クラスプにより製作されている。その為、歯冠部分にのみ使用されている。
【０００３】
【発明が解決しようとする課題】
このように従来の固定構造は、金属製の挟持角（つの）を用いるため、強度はあるが、金具が外から見えるので、見栄えが悪く、天然歯に装着するには抵抗感がある。
【０００４】
また、金属製の挟持角は、歯冠部を外側と内側から挟む構造なため、歯肉部を挟むと痛くて適用できなかった。さらに、部分義歯を着脱するために口腔内に出し入れする際に、誤って口腔肉や歯肉を刺したりする危険があった。
【０００５】
天然歯の両側に部分義歯が有る場合は、両方の部分義歯同士を金属製のバー、杆あるいは連結子などと呼ばれる連結手段で連結したり、部分義歯を連結手段で反対側の天然歯に連結固定しているが、挟持角よりもはるかに大きいため、違和感が有ったり、金属アレルギーを起こす患者がいる。しかも、ＣｏやＮｉなどの場合は、嫌な味を感じる患者もいる。その結果、使用を断念し、部分義歯を装着できずに不自由を来している患者もいる。金属は、その研磨に時間がかかり、製品のコスト高を招くといった問題もある。
【０００６】
また、部分義歯、総義歯に限らず、抜歯後の顎堤の歯肉と接する部分が硬いと痛みや違和感のため装着を嫌われるので、歯肉に刺激を与えないようなソフトな材質が望まれる。
【０００７】
一般的に義歯床は、アクリル樹脂を加圧重合したりして製作されているが、厚みを薄く作ると強度に無理があり、取り扱いが悪ければ変形・破折する欠点があった。
【０００８】
本発明の技術的課題は、このような問題を一挙に解消できる義歯を実現することにある。すなわち、見栄えが悪く、金属アレルギーを引き起こす金属を用いずに、目立たない透明のプラスチック材を使用してより確実かつ安定よく固定でき、しかも軽量かつ嵩張らず、歯肉に与える刺激も軽減可能な義歯の固定構造とその製作方法を実現する。
【０００９】
【課題を解決するための手段】
本発明の技術的課題は次のような手段によって解決される。請求項１は、患者から採取した型を基に成型した模型を用いて義歯を製作する際に、前記模型の上に顎堤と接するソフト質の熱可塑性樹脂シートを載せて熱軟化させた状態で、圧風又は真空吸引で型面に被着させてから、その上に弾性に富んだ熱可塑性樹脂シートを積層して熱軟化させ圧風又は真空吸引で被着させた状態で、余分の部分を除去して基礎床となる部分を残し、この基礎床の上に義歯床を重ね、かつ人工歯を固定してから、前記模型から取り外すことを特徴とする義歯の製作方法である。
【００１０】
このように、材質的にソフトで、患者の抜歯後の顎堤歯肉に刺激を与えないようなシートで基礎床を成型する。こうして、ソフトなシートで形成した後、その上に熱可塑性樹脂製のシートを被せて基礎床を成型する。そのため、基礎床の部分は、患者の顎堤歯肉と接する部分がソフトな材質になっているので、患者にとって刺激が少なく、抵抗無く装着できる。また、弾性に富んだ材質を採用しているため、顎堤の歯肉を刺激することが少ない。しかも、顎堤の歯肉との密着度がよく、唾液だけで基礎床が顎堤に吸着固定されるので、総義歯の義歯床がプラスチック製で軽いことと相まって、安定良く装着できる。
【００１１】
請求項２は、患者から採取した型を基に成型した模型を用いて義歯を製作する際に、前記模型の上に、ソフト質の熱可塑性樹脂シートの上に弾性に富んだ熱可塑性樹脂シートが積層されている２層構造のシートを載せて熱軟化させた状態で、圧風又は真空吸引で型面に被着させてから、余分の部分をカットし除去して基礎床となる部分を残し、この基礎床の上に義歯床を重ね、かつ人工歯を固定してから、模型から取り外すことを特徴とする義歯の製作方法である。弾性に富んだ熱可塑性樹脂とソフトな樹脂が初めから２層構造になったシートがある場合は、このように２層構造のシートで成型すると、工程が簡素化される。
このように、ソフト質の熱可塑性樹脂シートの上に弾性に富んだ熱可塑性樹脂シートが積層されている２層構造のシートを模型の上に載せて熱軟化させて義歯を製作する方法によると、出来上がった基礎床の顎堤と接する側がソフト材でできているので、顎堤の歯肉に与える刺激がより減少し、かつ顎堤との密着度もより向上する。したがって、総義歯であっても、違和感なく、安定よく装着できる。
【００１２】
請求項３は、前記の基礎床において、口蓋部側は除去して顎堤寄りだけを残して、基礎床の延長部のみを残すことを特徴とする請求項１または請求項２に記載の義歯の製作方法である。このように、口蓋部側は除去する製法によると、総義歯の場合の口蓋部を削除して床部を小さくできるので、嚥下障害や発音障害も軽減できる。また、プラスチック製で軽いので、唾液による吸着力だけで安定よく顎堤に固定できる。以上のように、本発明で使用する熱可塑性プラスチックは、従来使用してきたアクリル系樹脂より弾性に富み、強度も強く、破折しにくいため、義歯床の基礎床の部分に使用した場合、肉厚を薄くできる。さらに、金属の嫌な味もせず、抵抗無く義歯を使用できる。
【００１３】
【発明の実施の形態】
次に本発明による義歯の固定構造とその製作方法が実際上どのように具体化されるか実施形態を説明する。図１は本発明による部分義歯の固定構造の第一実施形態であり、外側から見た側面図（頬側面図）である。図２は、図１におけるＡ−Ａ平面図（咬合面図）である。
【００１４】
図においてｎ１、ｎ２、ｎ３は天然歯である。ｆ１、ｆ２は人工歯であり、ｄはその義歯床である。つまり、人工歯ｆ１、ｆ２と義歯床ｄとで部分義歯を構成している。
【００１５】
１、２は挟持角であり、１は外側（頬側）の挟持角、２は内側（舌側）の挟持角である。外側の挟持角１も、内側の挟持角２も、義歯床ｄと一体化されており、義歯床ｄに保持されている。
【００１６】
すなわち、外側の挟持角１から延長した延長部１ａと内側の挟持角２から延長した延長部２ａが共に義歯床ｄと一体化されている。
【００１７】
義歯床ｄは通常アクリルレジンからなり、歯肉３と同様に鮮やかな赤紫色を呈している。これに対し、挟持角１、２や延長部１ａ、２ａは、透明な合成樹脂レジン系加工材からなっている。
【００１８】
挟持角１、２は、従来のクラスプとほぼ同様に、天然歯ｎ１の根元の内外両側から挟むような形状に形成されている。しかも、部分義歯を口腔内に装着し、挟持角１、２で天然歯ｎ１を挟んだ状態において、挟持角１、２が天然歯ｎ１の根元に圧接する程度の弾力を有するような形状が適している。
【００１９】
したがって、部分義歯を口腔内に装着した状態では、図示のように内外の挟持角１、２で天然歯ｎ１の根元の細い部分を内外両側から多少の弾力でもって挟持することによって、部分義歯が天然歯ｎ１に保持固定される。すなわち、天然歯ｎ１の根元の部分は細いので、その上側の膨らんだ部分に阻止されて、上側には離脱できない。下側には歯茎があるので、下側にも移動できない。また、天然歯ｎ１は、中央が膨らんだ形状になっているので、内外の挟持角１、２もこの膨らみを包むような形状にすることで、義歯床ｄは水平方向に対しても固定される。
【００２０】
挟持角１、２はプラスチック製なため、弾力に富んでいる。そのため、部分義歯の挟持角１、２を天然歯ｎ１に対し着脱する際に、挟持角１、２が開いたりしても、確実に元の状態に復元する。その結果、長年繰り返し口腔に着脱しても天然歯ｎ１に対する固定力が低下するのを防止できる。
【００２１】
なお、挟持角１、２は、透明でなく、色付きを希望する患者に対応できるように、種々の色付きや半透明体なども可能である。また、外部から見えにくい、内側の挟持角２は、従来のような金属製クラスプにすることも可能である。
【００２２】
図５は天然歯ｎ１の位置における断面図であり、（１）図は内外両側の挟持角１、２が共に透明体の例であり、（２）は外側の挟持角１が透明体で、内側の挟持角２ｍが金属製クラスプの例である。
【００２３】
プラスチックは、弾力の調整が容易なため、歯肉に圧接しても痛みを感じないソフトタッチも可能である。図３は、天然歯ではなく、歯肉を利用して部分義歯を保持固定する例であり、外側から見た側面図（頬側面図）である。図４は、そのＢ−Ｂ平面図（咬合面図）である。
【００２４】
挟持角１、２に比べて比較的広い面を有する歯肉カバー４、５は、弾性に富んだ材質のプラスチックでできており、義歯床ｄ側に延長した部分４ａ、５ａの部分が義歯床ｄと一体化されている。
【００２５】
したがって、この部分義歯を口腔内に装着した状態では、義歯床ｄと一体の歯肉カバー４、５が広い面でもって、人工歯ｆ２と隣接する天然歯ｎ１の歯肉に圧接する。このように、歯肉カバー４、５の広い面でソフトタッチで歯肉に圧接するので、歯肉に痛みを感じることなしに、部分義歯を歯肉に保持固定できる。
【００２６】
歯肉を利用して保持固定する場合は、歯肉カバー４、５のソフトな弾力を生かすことが肝要なため、挟持角の場合と違って、内側の歯肉カバー５もプラスチック製が適している。この場合も、歯肉カバー４、５を色付きや半透明にできる。
【００２７】
しかしながら、歯肉に重ねて支持させるため、歯肉カバー４、５も義歯床ｄと同じ色、すなわち歯肉３と同じ色も好適である。
【００２８】
以上の実施形態において、挟持角１、２や歯肉カバー４、５からの延長部１ａ、２ａ、４ａ、５ａを義歯床ｄと一体化するには、義歯床ｄを成型する際に、延長部１ａ、２ａ、４ａ、５ａを義歯床ｄの内部にインサートモールドする方法と接着する方法とがある。
【００２９】
インサートモールドするには、義歯床ｄに人工歯ｆ１、ｆ２の歯茎の部分をインサートモールドする際に、前記延長部１ａ、２ａ、４ａ、５ａも同時にインサートモールドする。
【００３０】
接着する場合は、予め成型した義歯床ｄの接着面を削っておく。すなわち、延長部１ａ、２ａ、４ａ、５ａの部分が突出して、違和感を感じないように、延長部１ａ、２ａ、４ａ、５ａの厚み分と接着代分だけ削って凹部を形成する。可能であれば、義歯床ｄの成型時に形成しておいてもよい。
【００３１】
こうして形成した凹部に、延長部１ａ、２ａ、４ａ、５ａをはめ込んで接着すると、義歯床ｄと一体化され、しかも延長部１ａ、２ａ、４ａ、５ａの外面と義歯床ｄの外面とを同一面に揃えることができる。
【００３２】
延長部１ａ、２ａ、４ａ、５ａが色付きの場合は、義歯床ｄの色との調和を考慮することは当然である。したがって、義歯床ｄと同じ色の歯肉カバー４、５を用いる場合は、接着した部分が目立ちにくい。
【００３３】
図５（３）（４）のように、天然歯ｎ１の内側は、歯肉カバー５に代えて、挟持角２を用いることもできる。すなわち、天然歯ｎ１の内側の根元に、図１、図２における挟持角２を用いる。
【００３４】
このように歯肉カバーで固定する場合も、図５（３）のように、外側の歯肉カバー４も、内側の挟持角２や歯肉カバー５も共に、透明プラスチック製にできる。また、図５（４）のように、外側の歯肉カバー４のみ透明プラスチック製とし、内側の挟持角２ｍは、従来と同様な金属クラスプにしてもよい。
【００３５】
図６は、歯肉カバー４、５が歯肉と歯冠部にまたがってカバーする実施形態である。（１）図のように、内外両側の歯肉カバー４、５が共に、歯肉３と天然歯ｎ１にまたがってカバーしている構造でもよいが、（２）のように、外側の歯肉カバー４のみ、あるいは（３）のように、内側の歯肉カバー５のみが歯肉３と天然歯ｎ１にまたがってカバーする構造でもよい。この場合も、内側の挟持角２や歯肉カバー５は、金属でもよい。
【００３６】
なお、内外の歯肉カバー４、５が共に同じ材質の場合は、図４のように、延長部４ａと５ａとが予め一体になっていてもよい。
【００３７】
図７は、義歯床ｄ自体で前記の歯肉カバー４、５を形成した実施形態である。図３、図４では、義歯床ｄに別体の歯肉カバー４、５を一体化しているのに対し、図７では、義歯床ｄを天然歯ｎ１の歯肉の上まで延長させてある。そして、前記歯肉カバー４、５の場合と同様に、延長した歯肉カバー４ｄ、５ｄの弾力でもって天然歯ｎ１の歯肉３の上に圧接させる。
【００３８】
この場合は、義歯床ｄの材質が問題であり、義歯床ｄとして適しており、しかも歯肉カバー４、５と同様に歯肉の上にソフトタッチで圧接できる材質を選定する。例えば、ポリカーボネート系樹脂やビニール樹脂系加工材などが適している。
【００３９】
図８は、凹曲面状の挟持手段を用いた実施形態を示す図である。（１）図に示すように、殆どの天然歯ｎの外側面は凸状すなわち太鼓状の曲面６になっている。前歯の場合は、内側が窪んでいる場合もあるが、前歯以外は内側も膨らんでいる。
【００４０】
したがって、（２）のように、挟持手段７の形状として、凸曲面６にぴったり被さるような凹曲面８を有する形状にすると、挟持手段７が天然歯ｎに対し、上方向にも下方向にも移動しにくくなる。凸曲面６が挟持手段７の凹曲面に嵌まり込んでいるため、引っ掛かりとして作用するからである。
【００４１】
なお、図示の天然歯ｎの内側６ｉのように窪んでいる場合は、窪み６ｉに内側の挟持手段７ｉの挟持面が嵌まり込むように、凸面８ｉにするとよい。
【００４２】
天然歯ｎの凸曲面６の位置の水平断面図を（３）に示す。この図からも明らかなように、天然歯ｎの水平断面の形状も、中央部が膨らんでいるので、凹曲面８は、水平方向に対しても凹曲面とすることで、水平方向に対しても確実に固定できる。
【００４３】
前記の挟持角１や歯肉カバー４は、隣接する１個の天然歯ｎ１だけに固定する構造になっているが、（３）図の場合は、隣接する２個の天然歯ｎ１、ｎ２を利用して固定してある。すなわち、内外の挟持手段７・７を、２個目の天然歯ｎ２まで延長してあり、連続形状の挟持手段となっている。
【００４４】
このように、複数の天然歯を利用して固定するので、部分義歯を安定よく、より強固に固定できる。また、（２）のように、天然歯ｎに対し部分義歯が上下方向に移動するのを阻止する働きもあるので、部分義歯の沈降防止のためのレストの役目も兼ねることができる。なお、この場合も、少なくとも外側の挟持手段７は、目立たないように、透明のプラスチックで形成する。
【００４５】
また、図３、図４の歯肉カバーと同様な原理で、（４）のように、内外の凹曲面状の挟持手段７、７を下側に延長して、延長部７ａ、７ａで歯茎の歯肉も挟持するようにしてもよい。
【００４６】
なお、凹曲面８を有する挟持手段７や２連形状の挟持手段７も、図１〜図４の挟持角や歯肉カバーと同様に、延長部を義歯床に埋め込んだり接着したりすることもできる。
【００４７】
図９は、部分義歯の固定構造の製作方法を工程順に示す平面図である。（１）は上顎側の歯列の模型であり、患者から採取した型を基にして成型する。そして、ｎ１、ｎ２、ｎ３…は、患者に残っている天然歯であると仮定すると、いま２本の天然歯ｎ１、ｎ２を挟持する凹曲面の挟持手段を形成する場合を説明する。この場合、２本の天然歯ｎ１、ｎ２と欠損部顎堤（Ｆ１、Ｆ２）の上に渡って、１枚の透明の熱可塑性プラスチックのシート９を載せる。このシート９の厚さは任意である。なお、Ｆ１、Ｆ２は、欠損部顎堤における天然歯を抜いた歯の跡である。
【００４８】
各図（１）…（４）には、天然歯ｎ１のＡ−Ａ位置、欠損部顎堤（Ｆ１）のＢ−Ｂ位置における断面図を併記してある。
【００４９】
次に、前記の模型とシート９を成型装置にセットし、例えば１００〜１５０℃程度の熱を加えた状態で、シート９の上から圧風を当てたり、模型の下側から真空吸引すると、シート９が熱軟化して、（２）の９ａのように、天然歯ｎ１、ｎ２の上面や側面などの全面に被着すると共に、模型の欠損部顎堤（Ｆ１、Ｆ２）の上面や側面にも被着する。
【００５０】
この状態で、成型装置から取り出して、余分の部分をカットして除去すると、（３）のようになる。すなわち、内側と外側の凹曲面状の挟持手段７・７とレスト部１０が残ると共に、欠損部顎堤（Ｆ１、Ｆ２）の上に基礎床１１となる部分が残る。次に、（３）のように、従来公知の手法で、欠損部顎堤（Ｆ１、Ｆ２）上の基礎床１１の上に、義歯床すなわち歯茎に相当する部分ｄを重ねて形成する。この義歯床は、アクリル系またはポリカーボネート系などの樹脂を用いて形成する。当然、自然の歯茎と同じ色となるようにピンク系に着色した樹脂を用いる。
【００５１】
次いで、（４）のように、前記義歯床ｄの上に、人工歯ｆ１、ｆ２を固定すると、部分義歯が完成する。内外の挟持手段７・７と基礎床１１とレスト１０の部分は透明である。こうして完成した部分義歯を模型から取り外して、患者の天然歯ｎ１、ｎ２を内外の挟持手段７・７で挟み、レスト１０を患者の天然歯ｎ１の咬合面に引っ掛けるように装着する。
【００５２】
この実施形態では、基礎床１１が一重であるが、２層構造にすることもできる。すなわち、前記の基礎床１１よりも材質的にソフトで、患者の抜歯後の顎堤歯肉に刺激を与えないような透明シートを用いて、（１）（２）の手法で挟持手段や基礎床を成型する。こうして、ソフトなシートで形成した後、その上に前記のような熱可塑性プラスチック製のシート９を被せて、（１）（２）の手法で挟持手段や基礎床を成型する。
【００５３】
その後は、（３）（４）のようにして、不要部を除去すると共に、義歯床ｄを形成し、その上に人工歯ｆ１、ｆ２を固定する。このように、部分義歯の基礎床の部分は、患者の顎堤歯肉と接する部分がソフトな材質になっているので、患者にとって刺激が少なく、抵抗無く装着できる。なお、透明で弾性に富んだ熱可塑性プラスチックと透明でソフトな樹脂が初めから２層構造になったシートがある場合は、２層構造のシートで成型すると、（１）（２）の工程が簡素化される。
【００５４】
基礎床１１も義歯床ｄと同様に歯茎と同じ色にしたい場合は、半分だけ透明で他の半分は歯茎色に着色されているシートを用いるとよい。なお、図１〜図４の挟持角や歯肉カバーも図９の方法で製作することもできる。
【００５５】
図９の製作法は、バー構造の部分義歯や総義歯にも適用できる。図１０は、バー構造の部分義歯であり、天然歯ｎ１…ｎ６の両側に部分義歯が配置されている。このようなバー構造の場合、従来は、バー１２の部分は金属でできていたが、本発明の場合は、透明の薄板でできている。
【００５６】
この熱可塑性プラスチックからなる透明板のバー１２の両端１２ａ、１２ｂを、左右の部分義歯の義歯床ｄ１、ｄ２中に図１〜図４の場合と同様に埋め込んでもよいし、両端１２ａ、１２ｂの上に義歯床ｄ１、ｄ２を重ねて接着してもよい。
【００５７】
ところが、図９の製作法によると、最初に熱可塑性プラスチック製のシートで左右の部分義歯の基礎床を形成する際に、バー部分１２も一緒に形成しておく。すなわち、左右の部分義歯の基礎床とバー部分１２をカバーするような大きなシートを用い、前記のような加圧または真空吸引して、成型してから、余分の領域を除去すると、バー部分１２や内外の挟持手段７・７、左右の基礎床１１の領域が残る。
【００５８】
次いで、図９の場合と同様に、左右の基礎床１１、１１の上に義歯床ｄ１、ｄ２を形成し、その上に人工歯ｆ１・ｆ２…を固定すると完成である。基礎床１１を形成する際のバー部分１２が、完成した左右の部分義歯床ｄ１、ｄ２を連結するバーの働きをする。しかしながら、バー部分１２は、患者の要望に応じて実施するのであって、図９の製法で左右の義歯床ｄ１、ｄ２を別々に製作し、別々に装着すれば充分である。なぜならば、それぞれの部分義歯の内外の挟持手段７・７だけで充分に固定できるからである。
【００５９】
なお、図１０では、基礎床１１の全面上に義歯床ｄを形成してあるので、基礎床１１は殆ど見えないが、図８、図９や次の図１１では、基礎床１１より小さめに義歯床ｄを形成したために、基礎床１１の外周が義歯床ｄの外周から一部露出している。どちらを採用するかは自由である。
【００６０】
本発明の製作法は、総義歯にも適している。すなわち、図１１（１）の模型において、全ての天然歯が欠損した後の全顎堤（Ｆ１・２…）の上に、図９の場合と同様にして、透明で弾性に富んだ熱可塑性プラスチック製の大きめのシート９を重ねて、加熱しながら、加圧または真空吸引して、（２）のように基礎床１１を形成し、不要部を除去した後、基礎床１１上に歯茎と同じ色の義歯床ｄを形成し、最後に人歯ｆ１、ｆ２…を基礎床ｄ上に固定すれば、図１１（２）のような総義歯が完成する。この総義歯の基礎床１１を、患者の抜歯後の顎堤に嵌めて装着する。
【００６１】
図示例は、初めから透明でソフトな樹脂層９１の上に透明で弾性に富んだ熱可塑性プラスチック層９２が積層されている２層構造のシート９を用いているが、この場合も、図９（１）（２）で説明したように、ソフト質の樹脂層９１で成型してから、その上に熱可塑性プラスチック層９２を積層して成型してもよい。
【００６２】
すなわち、先に透明でソフト材質のシート９１を天然歯が欠損した後の全顎堤（Ｆ１、Ｆ２…）の上に重ねて成型し、その上に透明で弾性に富んだ熱可塑性プラスチックのシート９２を重ねて成型することによって２層構造の基礎床１１を形成すると、患者の顎堤歯肉とソフトタッチするため、抵抗無く装着できる。
【００６３】
本発明の総義歯は、弾力性に富み、ソフト材質の義歯床あるいは熱可塑性プラスチック製の義歯床が顎堤歯肉と接するため、総義歯の基礎床を患者の顎堤に嵌めたとき、顎堤歯肉との密着性がよく、唾液で顎堤に強固に吸着固定される。したがって、図１１（２）のように、口蓋部１３を大きく削除できる。
【００６４】
１１ａは、基礎床１１から延長している部分であり、ソフトな樹脂層あるいは弾性に富んだ熱可塑性プラスチックであり、この部分も唾液で口蓋に粘着するので、面積は小さくてもよい。その結果、口蓋粘膜の露出面積が拡大されるので、装着時の違和感が無く、患者の負担が軽減される。結果的に、総義歯の装着を嫌う患者にも容易に受け入れられる。
【００６５】
なお、２層構造の場合は、ソフト層の上に補強用の芯材を重ねてから熱可塑性プラスチックの透明層を重ねると、挟持手段などが折れたりするのを防止できる。また、ソフト層を利用して患者の氏名を刻印したり記入し、その上から透明の熱可塑性プラスチック層を積層成型すると、義歯の管理も容易になる。
【００６６】
２層構造のシートの場合、あるいは一重のシートでも、中に芯材入りの市販品が有れば、それを使用してもよい。
【００６７】
なお、本発明で使用する熱可塑性プラスチックとしては、ポリカーボネートやポリスチレン、ポリエチレン、ポリウレタン、塩化ビニールなどが挙げられる。
【００６８】
【発明の効果】
請求項１のように、材質的にソフトで、患者の抜歯後の顎堤歯肉に刺激を与えないようなシートで基礎床を成型し、その上に熱可塑性樹脂製のシートを被せて基礎床を成型する。そのため、基礎床の部分は、患者の顎堤歯肉と接する部分がソフトな材質になっていて、患者にとって刺激が少なく、抵抗無く装着できる。また、弾性に富んだ材質を採用しているため、顎堤の歯肉を刺激することが少ない。しかも、顎堤の歯肉との密着度がよく、唾液だけで基礎床が顎堤に吸着固定されるので、総義歯の義歯床がプラスチック製で軽いことと相まって、安定良く装着できる。
【００６９】
弾性に富んだ熱可塑性樹脂とソフトな樹脂が初めから２層構造になったシートがある場合は、請求項２のような２層構造のシートで成型すると、工程が簡素化される。また、このように、ソフト質の熱可塑性樹脂シートの上に弾性に富んだ熱可塑性樹脂シートが積層されている２層構造のシートを模型の上に載せて熱軟化させて義歯を製作する方法によると、出来上がった基礎床の顎堤と接する側がソフト材でできているので、顎堤の歯肉に与える刺激がより減少し、かつ顎堤との密着度もより向上する。したがって、総義歯であっても、違和感なく、安定よく装着できる。
【００７０】
請求項３のように、口蓋部側は除去する製法によると、総義歯の場合の口蓋部を削除して床部を小さくできるので、嚥下障害や発音障害も軽減できる。
【図面の簡単な説明】
【図１】  本発明による部分義歯の固定構造の第一実施形態であり、外側から見た側面図である。
【図２】  図１におけるＡ−Ａ平面図である。
【図３】  歯肉を利用して部分義歯を保持固定する例であり、外側から見た側面図である。
【図４】  図３におけるＢ−Ｂ平面図である。
【図５】  天然歯ｎ１の位置における断面図である。
【図６】  歯肉と歯冠部にまたがって歯肉カバーする実施形態の断面図である。
【図７】  義歯床自体の延長部で歯肉カバーを形成した実施形態であり、（１）は平面図、（２）は外側から見た側面図である。
【図８】  凹曲面状の挟持手段を用いた実施形態を示す図である。
【図９】  部分義歯の固定構造の製作方法を工程順に示す図である。
【図１０】  両側の部分義歯をバーで連結する構造の平面図である。
【図１１】  本発明の製作法で総義歯を製作する実施形態を示す図である。
【符号の説明】
ｎ１、ｎ２、ｎ３  天然歯
ｆ１、ｆ２  人工歯
ｄ、ｄ１、ｄ２  義歯床
１  外側の挟持角
１ａ  延長部
２  内側の挟持角
２ａ  延長部
３  歯肉
４  歯肉カバー
４ａ  延長部
５  歯肉カバー
５ａ  延長部
４ｄ、５ｄ  義歯床からの延長部（歯肉カバー）
６  太鼓状の凸曲面
７  挟持手段
８  凹曲面
９  透明の熱可塑性プラスチックのシート
９１  ソフトな樹脂層
９２  熱可塑性プラスチック層
１０  レスト部
Ｆ１、Ｆ２  欠損部顎堤の天然歯の跡
１１  基礎床
１２  バー
１２ａ、１２ｂ  バーの両端
１３  口蓋部
【図１】
0003732474.tif 000002
【図２】
0003732474.tif 000003
【図３】
0003732474.tif 000004
【図４】
0003732474.tif 000005
【図５】
0003732474.tif 000006
【図６】
0003732474.tif 000007
【図７】
0003732474.tif 000008
【図８】
0003732474.tif 000009
【図９】
0003732474.tif 000010
【図１０】
0003732474.tif 000011
【図１１】
0003732474.tif 000012